(57)【特許請求の範囲】
【請求項１】
車輛内で周囲を見渡せる位置に保持されると共にデジタルカメラとマイクロフォンを有する監視用の携帯電話機と、上記車両と離れた管理事務所などの遠隔位置に設けられて、前記監視用の携帯電話機のデジタルカメラから得られた画像データとマイクロフォンから得られた音声データを受信し再生装置で再生しうる受信装置とからなる防犯携帯電話システムにおいて、
監視用の携帯電話機が、デジタルカメラを回転可能に取り付けていると共に車輛の警報器にインターフェースを介して作動可能に接続された警報機コントローラと、
前記マイクロフォンから得られた音声データと、デジタルカメラで撮影した画像データと、監視用の携帯電話機に予め設定された電話番号などの識別番号とをもとに、前記画像データ内の所定位置にコードや文字に変換された前記音声データや識別番号を組み合わせて表示した記録用の画像データを作成し、該記録用の画像データを受信装置側へ送信する自動編集手段とを有しており、
受信装置が、前記デジタルカメラのＯＮ−ＯＦＦならびに回転制御と、警報コントローラによる警報器の制御とを電話回線を通じて遠隔制御しうるリモートコントローラとを有し、前記受信した記録用の画像データを受信装置のメモリに記録してなることを特徴とした防犯携帯電話システム。
【請求項２】
デジタルカメラと携帯電話機とを別体とし、デジタルカメラと携帯電話機とをインターフェースを介して接続して画像データを携帯電話機の内部メモリに記録しうることを特徴とする請求項１に記載の防犯携帯電話システム。
【請求項３】
ＧＰＳ等の自己位置決定手段を備えた自己位置決定装置を携帯電話機と別体に設け、上記自己位置決定装置にデジタルカメラを一体に設け、自己位置決定装置と携帯電話機とをインターフェースを介して接続して自己位置データと画像データとを携帯電話機に転送し内部メモリに記録しうることを特徴とする請求項１または２に記載の防犯携帯電話システム。
【請求項４】
受信装置に、携帯電話機から送信されたデータを再生する再生装置と、前記携帯電話機のＯＮ−ＯＦＦ、デジタルカメラの撮影、送信スイッチの制御を電話回線で遠隔制御するリモートコントローラを備えてなることを特徴とする請求項１に記載の防犯携帯電話システム。
【請求項５】
受信装置が、画像データを再生する外部表示部と、リモートコントローラと、音声再生部とを備えた携帯電話からなっていることを特徴とする請求項１に記載の防犯携帯電話システム。
【請求項６】
携帯電話機からの送信を受信装置が着信できない場合に、予めセットされた他の受信装置に自動的に送信を行うように設定されてなることを特徴とする請求項１から５に記載のいずれかの防犯携帯電話システム。
【請求項７】
携帯電話機が、マイクロフォンから得られた音声データ、デジタルカメラで撮影した画像データもしくは自己位置決定手段で得られた日時、自己位置（緯度と経度）データの全部または一部をもとに、画像内の所定位置にコードに変換された音声、日時もしくは自己位置の全部または一部を表示した画像データを作成する自動編集手段を有しており、該編集された画像データを携帯電話機のメモリに記録してなることを特徴とする請求項３から６に記載のいずれかの防犯携帯電話システム。
【発明の詳細な説明】
【０００１】
【産業上の技術分野】
この発明は、デジタルカメラやＧＰＳ機能などを内蔵した携帯電話機と受信装置とからなる防犯携帯電話システムに関する。
【０００２】
【従来の技術】
デジタルカメラを内蔵した携帯型電話機として、内蔵のＣＣＤカメラによって被写体を撮影し、その場所から電話回線を通じて送信できるようにした構造は、例えば実用新案登録第３０１１９８５号等に開示されている。
しかし、この種の携帯型電話機では、画像データを送信することはできるが、それを受信した後のデータの利用法については考えられておらず、防犯用に利用することができない。
【０００３】
【発明が解決しようとする課題】
この発明は上記事情に鑑みて創案されたものでありその主たる課題は、リモートコントローラを用いて、携帯電話機の制御やデジタルカメラの制御を行うようにして監視対象物の防犯を図ることができる防犯携帯電話システムを提供することにある。
なお、この発明で携帯電話機とは、携帯型の移動無線通信に用いられる電話機であっていわゆる携帯電話やＰＨＳ等を含むものである。
【０００４】
【課題を解決するための手段】
上記課題を解決するための請求項１の発明では、
車輛内で周囲を見渡せる位置に保持されると共にデジタルカメラとマイクロフォンを有する監視用の携帯電話機と、上記車両と離れた管理事務所などの遠隔位置に設けられて、前記監視用の携帯電話機のデジタルカメラから得られた画像データとマイクロフォンから得られた音声データを受信し再生装置で再生しうる受信装置とからなる防犯携帯電話システムにおいて、
監視用の携帯電話機が、デジタルカメラを回転可能に取り付けていると共に車輛の警報器にインターフェースを介して作動可能に接続された警報機コントローラと、
前記マイクロフォンから得られた音声データと、デジタルカメラで撮影した画像データと、監視用の携帯電話機に予め設定された電話番号などの識別番号とをもとに、前記画像データ内の所定位置にコードや文字に変換された前記音声データや識別番号を組み合わせて表示した記録用の画像データを作成し、該記録用の画像データを受信装置側へ送信する自動編集手段とを有しており、
受信装置が、前記デジタルカメラのＯＮ−ＯＦＦならびに回転制御と、警報コントローラによる警報器の制御とを電話回線を通じて遠隔制御しうるリモートコントローラとを有し、前記受信した記録用の画像データを受信装置のメモリに記録してなることを特徴とする。
【０００５】
また、請求項２の発明では、
デジタルカメラと携帯電話機とを別体とし、デジタルカメラと携帯電話機とをインターフェースを介して接続して画像データを携帯電話機の内部メモリに記録しうることを特徴とする。
【０００６】
請求項３の発明では、請求項１または２の発明において、
ＧＰＳ等の自己位置決定手段を備えた自己位置決定装置を携帯電話機と別体に設け、上記自己位置決定装置にデジタルカメラを一体に設け、自己位置決定装置と携帯電話機とをインターフェースを介して接続して自己位置データと画像データとを携帯電話機に転送し内部メモリに記録しうることを特徴とする。
【０００７】
更に、請求項４の発明では、請求項１の発明において、
受信装置に、携帯電話機から送信されたデータを再生する再生装置と、前記携帯電話機のＯＮ−ＯＦＦ、デジタルカメラの撮影、送信スイッチの制御を電話回線で遠隔制御するリモートコントローラを備えてなることを特徴とする。
【０００８】
請求項５の発明では、請求項１の発明において、
受信装置が、画像データを再生する外部表示部と、リモートコントローラと、音声再生部とを備えた携帯電話からなっていることを特徴とする。
【０００９】
請求項６の発明では、請求項１から５の発明において、
携帯電話機からの送信を受信装置が着信できない場合に、予めセットされた他の受信装置に自動的に送信を行うように設定されてなることを特徴とする。
【００１０】
更に、請求項７の発明では、請求項３または６の発明において、
携帯電話機が、マイクロフォンから得られた音声データ、デジタルカメラで撮影した画像データもしくは自己位置決定手段で得られた日時、自己位置（緯度と経度）データの全部または一部をもとに、画像内の所定位置にコードに変換された音声、日時もしくは自己位置の全部または一部を表示した画像データを作成する自動編集手段を有しており、該編集された画像データを携帯電話機のメモリに記録してなることを特徴とする。
【００１１】
【発明の実施の形態】
以下に、この発明の防犯携帯電話システムの好適実施例について図面を参照しつつ説明する。
図１に示す防犯携帯電話システムは、携帯電話機１と、これと電話回線を介して接続される受信装置１０とからなっている。
携帯電話機１は、通常の携帯電話機能の他に、デジタルカメラ２と、撮影用のフラッシュ３と、フラッシュ３を自動制御する感光器４と、携帯電話と兼用するマイクロフォン５と、内部メモリＭ１とを有している。
【００１２】
デジタルカメラ２としては、本実施例ではＣＣＤ（電荷結合素子）カメラが用いられており、内部メモリＭ１の容量により異なるが、静止画または動画を内部メモリＭ１に取り込めるようになっている。
マイクロフォン５は、携帯電話機の通話用と兼用であって、後述の実行キーK２の投入によって所定時間、マイクロフォン５から入力された音声を内部メモリＭ１にデジタル録音することができる録音装置（図示せず）が設けられている。
ここでマイクロフォン５は、携帯電話機用のものと別に録音装置専用のものを用いてもよい。
【００１３】
携帯電話機１にはマイクロコンピュータ構成の防犯システムコントローラＣ１が設けられており、内部メモリＭ１に上記のようにデジタルカメラ２で撮影した画像データと、マイクロフォン５から入力された音声データとを一時的に記録する。
この携帯電話機１には、送信スイッチの一例として、準備キーＫ１と実行キーＫ２がそれぞれ設けられている。
【００１４】
準備キーＫ１の投入によって、前記コントローラＣ１は、携帯電話機機能を制御して予め設定されている電話番号を自動ダイヤルし、無線公衆電話回線を利用して相手局との通信路を形成し、自宅等に置かれた受信装置１０の電話機（モデム）に自動的に接続する。
【００１５】
次いで、実行キーＫ２が投入されると、前記コントローラＣ１は、デジタルカメラ２を作動させて撮影を行い、静止画像を内部メモリＭ１に取り込む。
これと同時にマイクロフォン５に吹き込まれた所定時間の音声データも上記メモリＭ１に取り込む。
本実施例では準備キーＫ１と実行キーＫ２とに分けたが、１つのキースイッチで両者の機能を行わせてもよい。
【００１６】
そして、コントローラＣ１は、内部メモリＭ１に取り込まれた上記画像データおよび音声データをモデム８で変調して、前記開通した通信路を通って、受信側のモデムを介して受信装置１０のメモリＭ２に転送される。
転送後は、携帯電話機１の内部メモリ１のデータは消去される。
この際に、受信装置１０では、その時計機構によって上記データの着信日時を同時に記録する。
なお、この発明で日時データは、時刻だけのデータであってもよい。
【００１７】
受信装置１０では、受信側コントローラＣ２の制御で、メモリＭ２に上記携帯電話機１から送信されてきた画像データと音声データとを着信日時データと共に１つの関連データとして記録しておく。
従って、多数の着信データがあった場合にも、着信日時データを索引とし、所定の画像データと音声データを選択することができるようになっている。
【００１８】
受信装置１０は、受信コントローラＣ２と、送受信機能（受信機能だけでよい）と、上記受信データを記録するメモリＭ２と、再生装置として画像データを再生するディスプレイ１１または印刷装置１２と、音声データを再生するスピーカー１３とを有している。
【００１９】
また、再生の方法として本実施例では、選択キーＫ３と再生キーＫ４が受信装置１０に設けられている。
そして、メモリＭ２に記憶されたデータは、ディスプレー１１に見出しとして例えば着信時間データのみが表示されるようになっており、前記コントローラＣ２は選択キーＫ３の設定によって再生する着信時間データを選択し、再生キーＫ４の投入によって上記着信時間データと共に記録された画像データをディスプレイ１１に表示し、または印刷装置１２でプリントする。この際に、着信日時データを合わせて印刷することができる。
【００２０】
また、音声データはスピーカー１３によって再生することができる。
音声データは音声を示すコードに変換して印刷装置１２で画像データと共に印刷してもよい。
この出力に際しては、画像データを中心にして、着信日時データとコード状の音声データとを１つの固定フォーマットとして出力すれば、データの管理上好ましい。
【００２１】
上記構成からなっているので、前記携帯電話機１を保持している使用者は、自分の身に危険を感じたら準備キーＫ１を押す。
これにより携帯電話機１と受信装置１０とは無線公衆電話回線を通じて接続される。
そして、危険な人物なり状況が近づいたら実行キーＫ２を押す。これにより、デジタルカメラ２と録音装置のマイクロフォン５がＯＮとなって、例えば危険人物の顔や身体的特徴、乗用車等の種々の画像データと、相手の声または自分の声等の種々の音声データを取り込み一旦、内部メモリＭ１に記録する。
【００２２】
そして記録された上記データはモデム８で変調されて相手局との通信路が形成されている前記電話回線を通じて受信装置１０に送信され、受信装置１０側のモデム１８で復調されてメモリＭ２に記憶させる。
ここで、受信装置１０や再生装置は、使用者の自宅に置いてもよいが、専門の留守番電話センターやデータ管理センターなどに設けておいてもよい。
【００２３】
また、携帯電話機１で自動ダイヤルする際に、第１候補の電話番号の受信装置の回線につながらない場合等があるので、回線が接続されるまで、第２候補、第３候補の電話番号を順次に接続するようにしてもよい。
このような場合でも、データの記録を専門に行うための留守番電話センターやデータ管理センターなどに送信するようにしておけば、常に相手局に接続することができ安全である。なお、これらのセンターでは回線が常時接続できるように管理・保守される。
【００２４】
次に、図２に示す防犯携帯電話システムは、前記第１実施例の携帯電話機１に自己位置決定手段を備えた点が異なり、他の構成は同様であるので、同一構成には同一符号を付して説明を省略する。
即ち、この携帯電話機１にはＧＰＳ(Grobal Positioning System) 等の自己位置決定装置６が内蔵されている。
この自己位置決定装置６は、複数の通信衛星の発信した電波を捉え緯度や経度等の位置を検出する全地球航空測位システムを利用して自己（当該携帯電話機１）の位置データを測定する公知の装置である。
【００２５】
そして、実行キーＫ２の投入により、デジタルカメラ２による画像の撮影と録音装置のマイクロフォン５による音声の収録と、自己位置決定装置６による自己位置の測定とが行われる。
本実施例では自己位置決定装置６により自己位置の測定と共に時刻データ（グリニッジ基準時）を得ることができる。
【００２６】
このようにして得られたデータは、内部メモリＭ１に一旦記録されてから、音声信号に変換されモデム８を介して、電話回線によって受信装置１０へ送信される。
受信装置１０では、モデム１８で復調し時刻データと、送信位置データと、画像データおよび音声データをメモリＭ２に着信順に順次記録していく。
このようにして受信側のメモリＭ２に記録された多数のデータは、例えば時刻データを見出し（索引）とし、各時刻データに関連して同時に転送された画像データと音声データと位置データとが１つのデータとして必要に応じて再生装置で再生される。
【００２７】
再生方法は、画像データをディスプレイ１１に表示したり、プリンタ１２で印刷したりし、音声データはスピーカー１３から音声として再生したり、音声を示すコードに変換して上記プリンタ１２で画像データと共に印刷することができる。
なお、日時データや位置データも同様に印刷することができる。
これにより、日時データに基づいて、画像データと位置データと音声データとをまとめた固定フォーマットで出力することができる。
【００２８】
上記各実施例において、送信データを留守番電話センターやデータ管理センターへ送信する場合には、送信した携帯電話機１を特定するために、予めそれぞれの携帯電話機１に識別コード（ＩＤコード）を付与してメモリＭ１に登録しておき、前記データと共に携帯電話機１から送信されるようにしておくことが好ましい。
これによれば、受信側のメモリＭ２に記録された着信データを、識別コード毎にソートし、同一識別コード内で日時データ（または時刻データ）順にデータを整理することができ、再生が必要なデータの選択が行いやすくなる。
【００２９】
図３には上記実施例のＧＰＳ等の自己位置決定装置６とデジタルカメラ２とを一体にした入力装置２０を設け、携帯電話機１と別体にして、インターフェースＩＦで接続した異なる実施例を示す。
この場合も、前記実施例と同様に自己位置決定装置６で得られた現在位置データとデジタルカメラ２から得られた画像データとを、入力装置２０からインターフェースＩＦを介して携帯電話機１の内部メモリＭ１に記録することができる。
【００３０】
ここでインターフェースＩＦは、接続ケーブルを用いてデータを自己位置決定装置６側から携帯電話機１側へ転送するものでも、あるいはケーブルを用いず赤外線その他の信号を用いてワイヤレスで入力装置２０側から携帯電話機１側へ転送するものでもよい。
なお、図示例では音声データは携帯電話機１に設けた録音装置のマイクロフォン５からメモリＭ１に記録する場合を例示したが、上記別体の入力装置２０に録音装置を設け音声収録用のマイクロフォン５’を取り付ける構造としてもよい。
その他の構成は前記実施例と同様であるので、説明を省略する。
【００３１】
上記実施例では、入力装置２０として自己位置決定装置６とデジタルカメラ２とを一体に設けたが、デジタルカメラだけを別体とし、携帯電話機１にインターフェースを介して接続する構成としてもよい。
また、入力装置２０は、使用者の腕に腕時計のように取り付けたり、ネックレスやペンダントのように体に着けたりしておけば、撮影等のデータ採取がしやすくなる。
【００３２】
また受信装置１０で受信したデータの再生装置による出力は、前述のように各データを所定のフォーマットでそれぞれ表示するものでも、あるいは一体にして表示するものであってもよい。
例えば、図４に示すように、携帯電話機１側のシステムコントローラＣ１が、マイクロフォン５から得られた音声データ、デジタルカメラ２で撮影した画像データ、自己位置決定装置６で得られた日時、自己位置（緯度と経度）データ、携帯電話機１に予め付与されている識別コードまたは電話番号等のＩＤコードをもとに、自動編集手段７で画像内の所定位置にコードに変換された音声、日時および自己位置（緯度、経度）、ＩＤコードを表示した画像データを作成して内部メモリＭ１に記録し、この記録されたデータを前記実施例と同様にモデム８を介して受信装置１０側へ送信する構成としてもよい。
【００３３】
その他の構成は前記実施例と同様であるので同一構成には同一符号を付して説明を省略する。
これにより、受信装置１０側では、上記編集された画像データだけが記録されるので、改変することが極めて困難なデータを得ることができる。
そして、印刷装置等で再生すると、図５で模式的に出力結果を示すようにデジタルカメラで撮影された画像の中に、コードに変換された音声、日時および自己位置（緯度、経度）、ＩＤコードを描いた状態で印刷等の表示を行うことができる。
ここで、画像中に表示されるデータは上記各種データの全てでも一部であってもよい。
【００３４】
次に、防犯携帯電話システムの異なる実施例を図６を参照して説明する。
この防犯携帯電話システムでは、監視個所に置く監視用携帯電話機１と、この監視用携帯電話機１を電話回線を通じてリモートコントロール制御すると共にデータを受信する受信用携帯電話機１０とを用いる。
監視用携帯電話機１は、上部が入力部２０となって本体に旋回可能に取り付けられている。
この入力部２０には、デジタルカメラ２と、撮影用のフラッシュ３と、フラッシュ３を自動制御する感光器４と、録音装置のマイクロフォン５とが設けられている。
また、下部の本体には通常の携帯電話機能と、内部メモリＭ１とが設けられている。
【００３５】
一方、受信用携帯電話機１０には、監視用携帯電話機１のＯＮ−ＯＦＦ、デジタルカメラが設けられた入力部２０の旋回制御、デジタルカメラ２の撮影や音声採取のＯＮ−ＯＦＦを制御するリモートコントローラ３０を備えている。
また、再生装置として画像データを外部表示するディスプレイ部１１と、受信した音声を出力するスピーカー部（携帯電話と兼用）１２とを有している。
【００３６】
これによれば、監視用携帯電話機１と受信用携帯電話機１０とは電話回線を通じて接続することができるようになっており、受信用携帯電話機１０のリモートコントローラ３０で監視用携帯電話機１の上部の入力部２０の旋回角度を制御し、デジタルカメラ２での撮影、およびマイクロフォンからの音声の取り込みを行う。
そして得られた画像データや音声データは内部メモリＭ１に記録され、音声信号に変換されモデム８、１８を介し電話回線経由で受信用携帯電話機１０のメモリＭ２へ送られる。
受信用携帯電話機１０では、受信と同時にディスプレイ部１１とスピーカー部１２で再生してモニターすることができる。
【００３７】
従って、監視用携帯電話機１を例えば監視対象物となる無人の車輛にスタンドＳ等で起立保持して周囲を見渡せる位置に設けておき、離れた管理事務所等でオペレータが受信用携帯電話機１０を用いてモニターすることができる。
そして、監視用携帯電話機１には、警報機コントローラ４０を設けて車輛の警報機４１に接続しておき、受信用携帯電話機１０のリモートコントローラー３０により制御信号を送信しこれを受けた監視用携帯電話機１で警報機４１を作動させるようにしてもよい。
【００３８】
上記実施例では、デジタルカメラ２を携帯電話機１と一体に設けた場合を例示したが、図３に示した実施例のようにＧＰＳ等の自己位置決定装置６とデジタルカメラ２とを一体とした入力装置を携帯電話機１と別体とし、インターフェースを介してデータを送信できるようにしてもよい（図７参照）。
この場合、例えば入力装置２０を、ＧＰＳ等の自己位置決定装置６とデジタルカメラ２とを一体に設けた構造とし、監視対象となる幼児や老人等に上記入力装置２０と、これにインターフェースＩＦを介して接続される監視用携帯電話機１とを持たせておき、受信用携帯電話機１０は管理者が持つようにしておく。
【００３９】
そして、幼児や老人等が監視用携帯電話１に設けられた準備キーと実行キーを兼ねるワンタッチキーＫを投入すれば、自己位置決定装置６から自己位置データを、デジタルカメラ２から画像データを、録音装置のマイクロフォンから音声データをそれぞれ入力して内部メモリＭ１へ記録する。
また、相手局である受信用携帯電話機１０への通信路を開いて、上記内部メモリＭ１に記録されたデータをモデム８、１８を介して受信用携帯電話機１０のメモリＭ２に転送し、再生装置で再生することができる。
【００４０】
同様に、受信用携帯電話機１０にリモートコントローラ３０を設けた場合を図７を兼用し参照して説明する。
この実施例では、監視用携帯電話機１に内部メモリＭ１に記録されたデータを発信させるデータ転送キーＫ６を設けておく。
そして、管理者は、受信用携帯電話機１０から相手局である監視用携帯電話機１へ無線公衆電話回線を通じて通信路を形成し、リモートコントローラ３０でコントローラＣ１を制御し、入力装置２０の自己位置決定装置６とデジタルカメラ２と録音装置のマイクロフォン５を作動させ、自己位置データと画像データと音声データとを監視用携帯電話機１の内部メモリＭ１に記録させる。
【００４１】
そして、データ転送キーＫ６を遠隔制御して上記メモリＭ１内のデータをモデム８，１８を介して受信用携帯電話機１０に転送させて受信側のメモリＭ２に記録させる。
この受信側のメモリＭ２に記録されたデータは再生装置で再生されるので、管理者は、随時に監視対象である人や物の画像データや位置データを得ることができる。
上記説明では、音声データも併せて記録する構成を用いたが、録音装置を設けなくてもよい。
例えば、監視用携帯電話機１と通信路が形成された際に通話状体にしておけばデータの転送が始まるまで監視用携帯電話機１のマイクロフォンを通して外部の音を聞くことができるので、監視用携帯電話機１で音声を録音しておかなくてもよい。
【００４２】
上記実施例では、受信用携帯電話機１０に再生装置を設けた場合を例示したが、受信用携帯電話機１０と再生装置とを別体としインターフェースで接続してもよい。
再生装置として、パーソナルコンピュータとその周辺機器としてのプリンタやＣＲＴやスピーカー等を用いてもよい。
【００４３】
この発明では、受信装置を自宅に設けて置いてもよいが、電話回線が接続できない場合があることから、前述のように専用のデータ管理会社などに受信装置を設けておき、携帯電話機をこの電話回線と接続するようにしてもよい。
そして、受信装置では記録された各種データの改変は行えない構造としておく。  このデータ管理会社の受信装置のメモリに記憶されたデータは、公証人や弁護士などの公正な第三者の立会い保証により出力されるようにしておけば、証明力を高めて各種の証拠として用いることもできるようになる。
【００４４】
このようにすることによって、防犯携帯電話システムの存在そのものが犯罪を抑止することができ、防犯上極めて有効となる。
また、犯罪が行われても、証拠が残るのでその解決を早めることができる。
更に、電話回線を利用する場合に、インターネットやイントラネットを介して送信する構成としてもよい。
メモリは、インターネットやイントラネット中にあってもよく、再生装置は上記インターネットまたはイントラネット中に記憶されたデータを再生するようにしてもよい。
また携帯電話機は、その種類を問わず、電話回線と接続可能な携帯型のものであればよい。
【００４５】
【発明の効果】
この発明によれば、携帯電話を用いて、取り込んだ画像データや音声データなどを確実に自動的に他の場所に転送することにより、近年多発する性犯罪やトラブルの現場証拠を得ると共に相手方が手の出せないようにすることで、有効に保存することができると共に、防犯携帯電話システムそのものの存在により犯罪を未然に防止することができる。
また、リモートコントローラを用いることにより、監視対象物の監視を簡便に行うことができる。
【図面の簡単な説明】
【図１】防犯携帯電話システムの第１実施例を示す説明図である。
【図２】同第２実施例を示す説明図である。
【図３】同第３実施例を示す説明図である。
【図４】同第４実施例を示す説明図である。
【図５】同第４実施例の印刷例を示す図で、画像データは図案として示してある。
【図６】同第５実施例を示す説明図である。
【図７】同第６実施例を示す説明図である。
【符号の説明】
１…携帯電話機
２…デジタルカメラ
３…フラッシュ
４…感光器
５…マイクロフォン
１０…受信装置
Ｃ１…送信側コントローラ
Ｃ２…受信側コントローラ
Ｍ１…内部メモリ
Ｍ２…メモリ
【図１】
0003586361.tif 000002
【図２】
0003586361.tif 000003
【図３】
0003586361.tif 000004
【図４】
0003586361.tif 000005
【図５】
0003586361.tif 000006
【図６】
0003586361.tif 000007
【図７】
0003586361.tif 000008